(57)【要約】【課題】装着したままの状態で静電容量式のタッチパネルの操作を精度良く行える手袋の提供を目的とした。【解決手段】手袋１０は、指が挿入される指挿入部１４を有する。指挿入部１４をなす親指挿入部１４ａ及び人差指挿入部１４ｂの先端部には、第一導電部２０及び第二導電部２２が設けられており、第一導電部２０及び第二導電部２２を除く部分については導電性を有さない素材によって形成されている。第一導電部２０及び第二導電部２２は、少なくとも指挿入部１４に指を挿入した状態において手の平側に向く面の指先側の領域に形成されている。【選択図】図１
0003167579.tif 000002
【実用新案登録請求の範囲】
【請求項１】
親指が挿入される第一指挿入部及び少なくとも人差指が挿入される第二指挿入部を有する非導電性の本体部と、
前記第一指挿入部のうちの親指先端部に対応する第一領域に設けられた第一導電部、及び／又は、前記第二指挿入部のうちの人差指先端部に対応する第二領域に設けられた第二導電部と、
を有すること、
を特徴とする手袋。
【請求項２】
前記第一導電部及び／又は前記第二導電部が、導電糸の刺繍により構成されていること、
を特徴とする請求項１に記載の手袋。
【請求項３】
前記第一導電部及び／又は前記第二導電部が、導電性材料を含む樹脂により構成されていること、
を特徴とする請求項１に記載の手袋。
【請求項４】
前記第一導電部及び／又は前記第二導電部が、導電性布帛により構成されていること、
を特徴とする請求項１に記載の手袋。
【請求項５】
前記第一導電部及び／又は前記第二導電部が、突起部を有すること、
を特徴とする請求項１〜４のうちのいずれかに記載の手袋。
【考案の詳細な説明】
【技術分野】
【０００１】
本考案は、装着したままの状態で静電容量式のタッチパネルの操作が可能な手袋に関する。
【背景技術】
【０００２】
近年、いわゆるスマートフォンに代表される携帯電話端末、携帯型音楽プレイヤー、携帯型ゲーム機、ＰＤＡ等の携帯情報端末、自動券売機、銀行ＡＴＭ、或いはコピー機等、様々な機器において静電容量式のタッチパネルが採用されている。静電容量方式のタッチパネルは、接触に伴い指と導電膜との間で生じる静電容量の変化を捉えることにより位置等を検出するものである。従って、毛糸、布、或いは皮革等の非導電性素材によって形成された手袋を装着した状態においては、静電容量式のタッチパネルを備えた機器類の操作を行うことができない。
【０００３】
このような問題を解消しうる手袋としては、下記特許文献１に開示されているような指先開放型手袋が提供されている。指先開放型手袋においては、装着時に指先が露出するため、静電容量式のタッチパネルの操作に支障が生じないものの、指先が外気にさらされて萎縮し、思うように指先を動かすことができなくなる等の問題が生じかねない。
【０００４】
上述したような問題を解消するためには、導電性を有する素材により手袋を形成することが好ましい。導電性を有する素材を用いた手袋として、例えば下記特許文献２に開示されているような手袋が提供されている。
【先行技術文献】
【特許文献】
【０００５】
【特許文献１】実登３１２２７１４号公報
【特許文献２】特開平１０−３３１０１０号公報
【考案の概要】
【考案が解決しようとする課題】
【０００６】
しかしながら、特許文献２に開示されている手袋においては、略全体が導電性のフィラメントによって構成されていることから、製造コストが高価になってしまうという問題がある。また、フィラメント等の導電性を有する素材によって手袋全体を形成した場合には、柔軟性に乏しいために細かな動作が行えず、タッチパネルの誤操作等の問題が生じる可能性がある。
【０００７】
また、手袋を装着した状態においては、素手の状態に比べて細かな作業が困難になる傾向にある。従って、導電性を有する素材により手袋全体を形成した場合には、指先以外の部分がタッチパネルに接触し、誤操作の原因となってしまう可能性がある。
【０００８】
そこで、かかる問題を解消すべく、本考案は装着したままの状態で静電容量式のタッチパネルの操作を精度良く行える手袋の提供を目的とする。
【課題を解決するための手段】
【０００９】
上述した課題を解決すべく提供される本考案の手袋は、
親指が挿入される第一指挿入部及び少なくとも人差指が挿入される第二指挿入部を有する非導電性の本体部と、
前記第一指挿入部のうちの親指先端部に対応する第一領域に設けられた第一導電部、及び／又は、前記第二指挿入部のうちの人差指先端部に対応する第二領域に設けられた第二導電部と、
を有すること、
を特徴とするものである。
【００１０】
本考案の手袋においては、第一導電部、及び／又は、第二指挿入部（以下、総称して「導電部」ともいう。）が設けられているため、使用者が素手で操作を行う場合と同様の操作感により静電容量式のタッチパネルの操作を行うことが可能である。また、第一指挿入部及び第二指挿入部（以下、総称して「指挿入部」ともいう。）の先端側の領域を除く部分が導電性を有さない構成とされているため、手袋の指先以外の部分が予期せずタッチパネルに接触したとしても誤操作の原因にならない。
【００１１】
本考案の手袋は、装着状態において指挿入部内に少なくとも操作者の指先が収容されるため、外気温が低い状況下においても指先が萎縮せず、所望の操作を行うことができる。
【００１２】
また、本考案の手袋においては、導電部以外を除く部分を例えば毛糸、布、或いは皮革等の非導電性素材によって形成可能であり、導電性素材の使用量を最小限に抑制可能である。従って、本考案の手袋は、製造コストが最小限で済む。また、導電部以外を除く部分を従来公知の手袋と同様に手になじみやすい素材によって形成することにより、違和感なく使用可能な手袋を提供できる。
【００１３】
ここで、近年広く提供されつつあるスマートフォン等の携帯端末においては、タッチパネルに対して単に接触するだけでなく、タッチパネル上に指の腹を接触させてスライドさせる動作等により端末の操作を行うものがある。このような端末をスムーズに操作可能とするためには、導電部は、指の腹と同様に指挿入部の長手方向に延びるように形成されていることが好ましい。
【００１４】
かかる知見に基づいて提供される本考案の手袋は、前記第一導電部及び／又は前記第二導電部が、それぞれ前記第一指挿入部及び前記第二指挿入部の長手方向に向けて延びるように形成されていること、
を特徴とするものである。
【００１５】
かかる構成によれば、タッチパネルに対して接触する動作に加え、タッチパネルを接触させた状態でスライドさせる動作等の動作についても確実に実施可能となる。従って、本考案によれば、スマートフォン等の携帯端末において必要とされる動作を容易かつ確実に実施可能な手袋を提供できる。
【００１６】
ここで、近年広く提供されつつあるスマートフォン等の携帯端末においては、タッチパネル上において親指及び人差指を接触させ、両者を近接及び離反させることにより操作を行えるものがある。このような端末の操作を実施可能とするためには、指挿入部において親指及び人差指が挿入される部分に導電部を設けることが望ましい。
【００１７】
本考案の手袋は、
前記指挿入部が、親指を挿入可能な親指挿入部と、人差指を挿入可能な人差指挿入部とを有し、
前記親指挿入部及び前記人差指挿入部の双方に前記導電部が設けられていること、
を特徴とするものであることが望ましい。
【００１８】
かかる構成によれば、上述したタッチパネル上において親指及び人差指を近接及び離反させることによる端末の操作を容易かつ精度良く実施可能な手袋を提供できる。
【００１９】
本考案の手袋は、
前記第一導電部及び／又は前記第二導電部が、導電糸の刺繍又は導電性布帛により構成されていること、
を特徴とするものであってもよい。
【００２０】
本考案の手袋においては、導電部が導電糸又は導電性布帛によって形成されるため、導電部を手袋本体に対して縫いつける等することにより所望の形状及び大きさに形成することが可能である。また、本考案においては、導電部又は導電性布帛が導電糸等によって形成されていることから、導電部が柔軟性に富み、指の動作に追従して細やかに変形する。従って、本考案の手袋においては、タッチパネル上において指の動作に追従するように導電部を移動、及び変形させ、細かな動作を実現させることが可能となる。
【００２１】
また、本考案の手袋は、
前記第一導電部及び／又は前記第二導電部が、導電性材料を含む樹脂により構成されていること、
を特徴とするものであってもよい。
【００２２】
本考案の手袋においては、導電部が導電性材料を含む樹脂によって形成されるため、導電部を容易かつ所望の形状に形成することが可能である。
【００２３】
本考案の手袋は、
前記第一導電部及び／又は前記第二導電部が、突起状に形成されていること、
を特徴とするものであってもよい。
【００２４】
本考案の手袋においては、導電部が突起状に形成されているため、タッチパネルに対して確実に接触させることが可能となる。従って、本考案の手袋によれば、操作感をより一層向上させることが可能となる。
【考案の効果】
【００２５】
本考案によれば、装着したままの状態で静電容量式のタッチパネルの操作を精度良く行える手袋を提供できる。
【図面の簡単な説明】
【００２６】
【図１】（ａ）は本考案の一実施形態に係る手袋の表面（手の平側の面）を示す正面図、（ｂ）は手袋の裏面（手の甲側の面）を示す背面図である。
【図２】第一の変形例に係る手袋を示す正面図である。
【考案を実施するための形態】
【００２７】
続いて、本考案の一実施形態に係る手袋１０について、図面を参照しつつ詳細に説明する。図１に示すように、手袋１０は、手の甲及び手の平を挿入するための本体部１２を有し、本体部１２にはその一部として指挿入部１４が形成されている。指挿入部１４は、第一指挿入部としての親指挿入部１４ａと、第二指挿入部としての人差指挿入部１４ｂと、中指挿入部１４ｃと、薬指挿入部１４ｄと、小指挿入部１４ｅと、によって構成されている。
【００２８】
手袋１０の本体部１２は、略全体が非導電性素材によって形成されている。本体部１２を構成する非導電性素材には、例えば毛糸、布、或いは皮革等を用いることが可能である。本体部１２は、伸縮性を有する繊維の糸を編んだもの等、伸縮性の高い素材を用いて形成することにより、装着時の快適さが向上すると共に、静電容量式のタッチパネルの操作等の細かな作業を不自由なく実施可能とすることができる。
【００２９】
本体部１２は、大部分が上述した非導電性素材によって形成されているが、指挿入部１４において、親指挿入部１４ａのうちの手の平側親指先端部に対応する第一領域及び人差指挿入部１４ｂの手の平側人差指先端部に対応する第二領域に、それぞれ導電糸によって形成された第一導電部２０及び第二導電部２２が設けられている。本実施形態においては、第一導電部２０及び第二導電部２２は、それぞれ導電糸を親指挿入部１４ａ及び人差指挿入部１４ｂの第一領域及び第二領域に刺繍することにより形成されている。
【００３０】
第一導電部２０及び第二導電部２２を形成する導電糸は、静電容量式のタッチパネルの導電膜との間で静電容量の変化が生じうる程度の導電性を有するものであればいかなる素材によって形成されても良い。具体的には、第一導電部２０及び第二導電部２２は、繊維の芯部にカーボンブラック、銅或いは銀等の金属、金属酸化物等の導電物質を含有する芯鞘型複合紡糸繊維、繊維表面に導電性を有する金属を蒸着したもの、金属繊維、炭素繊維、イオン導電性ポリマーからなる繊維等を用いて形成することが可能である。
【００３１】
親指挿入部１４ａ及び人差指挿入部１４ｂにおいてそれぞれ第一導電部２０及び第二導電部２２が設けられる第一領域及び第二領域は、それぞれ親指及び人差指を挿入した状態において指先から第一関節までの部分が収まる領域に略相当する。本実施形態においては、第一導電部２０及び第二導電部２２は、手の平側、即ち、手袋１０を装着した状態において親指及び人差指の腹に対応する面に形成されている。また、第一導電部２０及び第二導電部２２は、親指挿入部１４ａ及び人差指挿入部１４ｂの長手方向に向けて延びるように形成されている。
【００３２】
上述したように、本実施形態の手袋１０においては、指挿入部１４の指先側の領域に第一導電部２０及び第二導電部２２が設けられているため、使用者が素手で操作を行う場合と同様の操作感により静電容量式のタッチパネルの操作を行うことが可能である。また、指挿入部１４の先端側の領域を除く部分が導電性を有さない構成とされているため、手袋１０の指先以外の部分が予期せずタッチパネルに接触したとしても誤操作の原因にならない。
【００３３】
本実施形態の手袋１０は、装着状態において指挿入部１４内に少なくとも操作者の指先が収容されるため、外気温が低い状況下においても指先が萎縮せず、所望の操作を行うことができる。また、第一導電部２０及び第二導電部２２以外の本体部１２を従来公知の手袋１０と同様に手になじみやすい素材によって形成することにより、違和感なく使用可能な手袋１０を提供できる。
【００３４】
本実施形態の手袋１０においては、第一導電部２０及び第二導電部２２以外の部分を安価な非導電性素材によって形成することが可能である。従って、手袋１０においては、導電性素材の使用量、及び製造コストを最小限に抑制できる。
【００３５】
また、手袋１０は、第一導電部２０及び第二導電部２２は、指の腹と同様に指挿入部１４の長手方向に延びるように形成されている。これにより、スマートフォン等の携帯端末においてタッチパネルに対して単に接触するだけの動作に加え、指の腹を接触させてスライドさせる動作等についても確実に実施可能となる。
【００３６】
更に、手袋１０は、第一導電部２０及び第二導電部２２が親指が挿入される親指挿入部１４ａ、及び人差指が挿入される人差指挿入部１４ｂの双方に設けられている。これにより、タッチパネル上において親指及び人差指を接触させ、両者を近接及び離反させることにより行う操作についても容易かつ精度良く実施可能とすることができる。
【００３７】
手袋１０においては、第一導電部２０及び第二導電部２２が導電糸によって形成されているため、第一導電部２０及び第二導電部２２を刺繍或いは縫製等することにより所望の形状及び大きさに形成することが可能である。また、第一導電部２０及び第二導電部２２を導電糸によって形成することにより、第一導電部２０及び第二導電部２２に柔軟性を持たせ、指の動作に追従して細やかに変形させることが可能となる。従って、手袋１０においては、タッチパネル上において指の動作に追従するように第一導電部２０及び第二導電部２２を移動、及び変形させ、細かな動作を実現させることが可能となる。
【００３８】
本実施形態においては、第一導電部２０及び第二導電部２２を導電糸によって形成した構成を例示したが、本考案はこれに限定される訳ではなく、導電性布帛を用い、これを縫製又は接着等することによって第一導電部２０及び第二導電部２２を形成することも可能である。かかる構成とすることにより、第一導電部２０及び第二導電部２２を容易かつ所望の形状に形成することが可能である。
【００３９】
導電性布帛としては、導電糸や例えば後述する導電性樹脂組成物を用いて得られる布、織布、不織布、編布、シート等を用いることができる。
【００４０】
また、本実施形態においては、第一導電部２０及び第二導電部２２を導電糸によって形成した構成を例示したが、本考案はこれに限定される訳ではなく、導電性材料を含む樹脂を含む導電性樹脂組成物用い、これを印刷することによって第一導電部２０及び第二導電部２２を形成することも可能である。かかる構成とすることにより、第一導電部２０及び第二導電部２２を容易かつ所望の形状に形成することが可能である。
【００４１】
ここで、上記導電性樹脂組成物に用いる導電性材料としては、例えば、鉄、銅、銀、アルミニウム等の金属の粒子、カーボンブラック、炭素繊維等が挙げられ、これらのうちの１種又は２種以上を適宜使用すればよい。
【００４２】
上記導電性樹脂組成物に用いる樹脂としては、例えば、シリコーン樹脂、ウレタン樹脂、エポキシ樹脂、フェノール樹脂、メラミン樹脂、ポリ塩化ビニル、ポリプロピレン、ポリエチレン、共重合ポリオレフィン（例えば、エチレン由来の構造単位が８５モル％以上の共重合体）、ポリオレフィン誘導体（塩素化ポリエチレンなど）、ポリオレフィンワックス、石油ワックス、カルナバワックス等の熱溶融性樹脂等が挙げられる。
【００４３】
前記共重合ポリオレフィンとしては、例えば、エチレン−プロピレン共重合体、エチレン−ビニルモノマー共重合体、より具体的には、エチレン−酢酸ビニル共重合体（ＥＶＡ）、エチレン−メチルアクリレート共重合体、又はエチレン−エチルアクリレート共重合体等が挙げられる。また、ポリシクロオレフィン等も挙げられる。これらのうちの１種又は２種以上を適宜使用すればよい。
【００４４】
また、上記導電性樹脂組成物には、適宜、顔料、染料、帯電防止剤、難燃剤、紫外線吸収剤、安定剤、安定化助剤等の添加剤を混合してもよい。
【００４５】
また、手袋１０は、第一導電部２０及び第二導電部２２を突起状に形成したり、突起部を設けたりすることも可能である。かかる構成とすることにより、タッチパネルに対して確実に接触させることが可能となり、操作感の向上に資することが可能となる。
【００４６】
また、上記実施形態においては、第一導電部２０及び第二導電部２２が、手の平側、即ち、手袋１０を装着した状態において親指及び人差指の腹に対応する面（部分）に形成されている場合について説明したが、また、第一導電部２０及び第二導電部２２は、手袋１０を装着した状態においてそれぞれ親指及び人差指の腹よりも先端側や指先に対応する部分に形成されていてもよい。
【００４７】
以上、本考案の代表的な実施形態について説明したが、それぞれ本考案の技術的思想の範囲内で種々の設計変更が可能である。例えば、上述した指挿入部１４は、使用者の五指をそれぞれ別々に挿入可能なものであるが、例えば図２に示すように、親指を挿入するための第一指挿入部である親指挿入部１４ａと、人差指を含む他の指をまとめて挿入するための第二指挿入部である他指挿入部１４ｆとによって構成されたミトン状の形状のものとしてもよい。また、図３に示すように、親指を挿入するための第一指挿入部である親指挿入部１４ａと、人差指を挿入するための第二指挿入部である人差指挿入部１４ｂと、親指及び人差指以外の指をまとめて挿入するための他指挿入部１４ｇとによって構成された略ミトン状の形状のものとしてもよい。
【００４８】
また、手袋１０は、親指挿入部１４ａ及び人差指挿入部１４ｂの一面側にのみ第一導電部２０及び第二導電部２２を設けた例を示したが、本考案はこれに限定されるものではなく、親指挿入部１４ａ及び人差指挿入部１４ｂの反対側の面にも第一導電部２０及び第二導電部２２と同様のものを設けても良い。このような構成とすることにより、手袋１０の左右を入れ替えて装着したとしても、第一導電部２０及び第二導電部２２が確実に親指及び人差指の腹側に存在することになり、左右を入れ替えない場合と同様に違和感なくタッチパネルを操作することができる。
【００４９】
また、上記実施形態の本考案の手袋１０においては、導電糸の使用量を最小限に抑制すべく、親指挿入部１４ａ及び人差指挿入部１４ｂにのみ第一導電部２０及び第二導電部２２を設けた構成を例示したが、本考案はこれに限定されるものではなく、中指挿入部１４ｃ、薬指挿入部１４ｄ、及び小指挿入部１４ｅにも導電部を設けてもよい。このように個々の指挿入部に導電部を設けることにより、デザイン性を向上させることもできる。
【００５０】
上述した手袋１０においては、第一導電部２０及び第二導電部２２を長円状に形成した例を示したが、本考案はこれに限定されるものではなく、第一導電部２０及び第二導電部２２の形状はいかなるものであってもよい。具体的には、第一導電部２０及び第二導電部２２は、矩形、三角形、或いは菱形、楕円形、円形等の適宜の記号の形状に形成することが可能である。また、第一導電部２０及び第二導電部２２は、縞模様状、市松模様状、水玉模様、アルファベット、ひらがな、カタカナ、漢字等、適宜の模様や文字を構成するように形成されていてもよい。
【産業上の利用可能性】
【００５１】
本考案は、携帯電話端末、携帯型音楽プレイヤー等の静電容量式のタッチパネルを採用した機器類の操作可能な手袋全般に利用できる。
【符号の説明】
【００５２】
１０        手袋
１２        本体部
１４        指挿入部
１４ａ      親指挿入部
１４ｂ      人差指挿入部
１４ｃ      中指挿入部
１４ｄ      薬指挿入部
１４ｅ      小指挿入部
２０        第一導電部
２２        第二導電部
【図１】
0003167579.tif 000003
【図２】
0003167579.tif 000004